(57)【要約】【課題】ＤＰＳＫ光信号の中心波長に応じてＤＰＳＫ復調回路の最適制御を行う。【解決手段】ＤＰＳＫ光受信器は、ＤＰＳＫ光信号を復調するＤＰＳＫ復調回路３と、ＤＰＳＫ光信号から中心波長近辺の光信号を抽出すると共に、ＤＰＳＫ復調回路３から出力されるＤＰＳＫ復調光信号から中心波長近辺の復調光信号を抽出する光バンドパスフィルタ７と、光バンドパスフィルタ７によって抽出されたＤＰＳＫ復調光信号の光パワーレベルを検出する光検出器１０と、光検出器１０によって検出された光パワーレベルに基づいて、ＤＰＳＫ光信号の中心波長に対してＤＰＳＫ復調回路３が最適になるようにＤＰＳＫ復調回路３を位相制御する制御回路１１とを有する。【選択図】  図１
2008271479.tif 000002
【特許請求の範囲】
【請求項１】
ＤＰＳＫ光信号を復調するＤＰＳＫ復調回路と、
前記ＤＰＳＫ光信号から中心波長近辺の光信号を抽出すると共に、前記ＤＰＳＫ復調回路から出力されるＤＰＳＫ復調光信号から中心波長近辺の復調光信号を抽出する光バンドパスフィルタと、
この光バンドパスフィルタによって抽出されたＤＰＳＫ復調光信号の光パワーレベルを検出する第１の光検出器と、
この第１の光検出器によって検出された光パワーレベルに基づいて、前記ＤＰＳＫ光信号の中心波長に対して前記ＤＰＳＫ復調回路が最適になるように前記ＤＰＳＫ復調回路を位相制御する第１の制御回路とを有することを特徴とするＤＰＳＫ光受信器。
【請求項２】
請求項１記載のＤＰＳＫ光受信器において、
さらに、前記光バンドパスフィルタによって抽出されたＤＰＳＫ光信号の光パワーレベルを検出する第２の光検出器と、
この第２の光検出器によって検出された光パワーレベルが最大となるように前記光バンドパスフィルタの中心波長を制御する第２の制御回路とを有することを特徴とするＤＰＳＫ光受信器。
【請求項３】
請求項１又は２記載のＤＰＳＫ光受信器において、
さらに、前記ＤＰＳＫ復調回路と前記光バンドパスフィルタとの間に設けられ、前記ＤＰＳＫ復調回路から出力される２系統のＤＰＳＫ復調光信号のうち一方のＤＰＳＫ復調光信号の一部を分岐させて前記光バンドパスフィルタに入射させる光カプラと、
前記ＤＰＳＫ復調回路から出力される一方のＤＰＳＫ復調光信号の遅延量を調整することが可能な第１の遅延調整器と、
前記ＤＰＳＫ復調回路から出力される他方のＤＰＳＫ復調光信号の遅延量を調整することが可能な第２の遅延調整器とを有することを特徴とするＤＰＳＫ光受信器。
【請求項４】
請求項１又は２記載のＤＰＳＫ光受信器において、
さらに、前記ＤＰＳＫ復調回路と前記光バンドパスフィルタとの間に設けられ、前記ＤＰＳＫ復調回路から出力される２系統のＤＰＳＫ復調光信号のうち一方のＤＰＳＫ復調光信号の一部を分岐させて前記光バンドパスフィルタに入射させる光カプラと、
前記ＤＰＳＫ復調回路から出力される一方のＤＰＳＫ復調光信号の損失を調整することが可能な第１の損失調整器と、
前記ＤＰＳＫ復調回路から出力される他方のＤＰＳＫ復調光信号の損失を調整することが可能な第２の損失調整器とを有することを特徴とするＤＰＳＫ光受信器。
【発明の詳細な説明】
【技術分野】
【０００１】
本発明は、ＤＰＳＫ（Differential-Phase-Shift-Keying ）変調方式による光ファイバ伝送システムに用いられる光受信器に係り、特に受信感度特性を改善およびＤＰＳＫ信号復調時の復調極性エラーを回避することが可能なＤＰＳＫ光受信器に関するものである。
【背景技術】
【０００２】
光ファイバ伝送システムにおいて良好な信号品質を得るためには、受信感度の高い変調方式が有効である。ＤＰＳＫ変調は、その特異な復調方式により受信感度に優れる変調方式の１つであり、ＮＲＺ（Non Return to Zero）やＲＺ（Return to Zero）等の一般的なオン・オフ変調（On-Off-Keying ）方式に対して、３ｄＢ程度の受信感度の改善が実現できる（例えば、特許文献１参照）。
【０００３】
【特許文献１】特開２００６−２１７６０５号公報
【発明の開示】
【発明が解決しようとする課題】
【０００４】
しかし、ＤＰＳＫ受信器におけるＤＰＳＫ復調回路は、入力されるＤＰＳＫ光信号の中心波長に敏感に反応し、わずかな波長ずれにより受信特性が大きく劣化するという問題点があった。
【０００５】
本発明は、上記課題を解決するためになされたもので、入力されるＤＰＳＫ光信号の中心波長に応じて自動的にＤＰＳＫ復調回路の最適制御を行うことができるＤＰＳＫ光受信器を提供することを目的とする。
【課題を解決するための手段】
【０００６】
本発明のＤＰＳＫ光受信器は、ＤＰＳＫ光信号を復調するＤＰＳＫ復調回路と、前記ＤＰＳＫ光信号から中心波長近辺の光信号を抽出すると共に、前記ＤＰＳＫ復調回路から出力されるＤＰＳＫ復調光信号から中心波長近辺の復調光信号を抽出する光バンドパスフィルタと、この光バンドパスフィルタによって抽出されたＤＰＳＫ復調光信号の光パワーレベルを検出する第１の光検出器と、この第１の光検出器によって検出された光パワーレベルに基づいて、前記ＤＰＳＫ光信号の中心波長に対して前記ＤＰＳＫ復調回路が最適になるように前記ＤＰＳＫ復調回路を位相制御する第１の制御回路とを有するものである。
また、本発明のＤＰＳＫ光受信器の１構成例は、さらに、前記光バンドパスフィルタによって抽出されたＤＰＳＫ光信号の光パワーレベルを検出する第２の光検出器と、この第２の光検出器によって検出された光パワーレベルが最大となるように前記光バンドパスフィルタの中心波長を制御する第２の制御回路とを有するものである。
【０００７】
また、本発明のＤＰＳＫ光受信器の１構成例は、さらに、前記ＤＰＳＫ復調回路と前記光バンドパスフィルタとの間に設けられ、前記ＤＰＳＫ復調回路から出力される２系統のＤＰＳＫ復調光信号のうち一方のＤＰＳＫ復調光信号の一部を分岐させて前記光バンドパスフィルタに入射させる光カプラと、前記ＤＰＳＫ復調回路から出力される一方のＤＰＳＫ復調光信号の遅延量を調整することが可能な第１の遅延調整器と、前記ＤＰＳＫ復調回路から出力される他方のＤＰＳＫ復調光信号の遅延量を調整することが可能な第２の遅延調整器とを有するものである。
また、本発明のＤＰＳＫ光受信器の１構成例は、さらに、前記ＤＰＳＫ復調回路と前記光バンドパスフィルタとの間に設けられ、前記ＤＰＳＫ復調回路から出力される２系統のＤＰＳＫ復調光信号のうち一方のＤＰＳＫ復調光信号の一部を分岐させて前記光バンドパスフィルタに入射させる光カプラと、前記ＤＰＳＫ復調回路から出力される一方のＤＰＳＫ復調光信号の損失を調整することが可能な第１の損失調整器と、前記ＤＰＳＫ復調回路から出力される他方のＤＰＳＫ復調光信号の損失を調整することが可能な第２の損失調整器とを有するものである。
【発明の効果】
【０００８】
本発明によれば、光バンドパスフィルタと第１の光検出器と第１の制御回路とを設けることにより、ＤＰＳＫ光信号の中心波長の検出とこの検出した中心波長に応じたＤＰＳＫ復調回路の制御という２つの機能を実現することができる。その結果、本発明では、ＤＰＳＫ復調光信号のアイ開口を最大化することが可能となり、かつＤＰＳＫ復調時のデータ極性エラーを回避することが可能となり、ＤＰＳＫ光信号の中心波長とＤＰＳＫ復調回路の波長ずれに伴う伝送品質劣化を大幅に改善することが可能となる。
【０００９】
また、本発明では、第２の光検出器と第２の制御回路とを設けることにより、ＤＰＳＫ光受信器に入射するＤＰＳＫ光信号の中心波長と光バンドパスフィルタの中心波長とを正確に一致させることができる。
【００１０】
また、本発明では、第１、第２の遅延調整器を設けることにより、ＤＰＳＫ復調回路の後段に配置した光カプラに起因する遅延量を補償することが可能となり、２系統のＤＰＳＫ復調光信号間のタイミングを揃えることができる。
【００１１】
また、本発明では、第１、第２の損失調整器を設けることにより、ＤＰＳＫ復調回路の後段に配置した光カプラに起因する光損失を補償することが可能となり、２系統のＤＰＳＫ復調光信号間の光パワーレベルのばらつきを抑えることができる。
【発明を実施するための最良の形態】
【００１２】
［第１の実施の形態］
以下、本発明の実施の形態について図面を参照して説明する。図１は本発明の第１の実施の形態に係るＤＰＳＫ光受信器の構成を示すブロック図である。
ＤＰＳＫ光受信器は、ＤＰＳＫ変調方式によって変調されたＤＰＳＫ光信号の一部を分岐させる光カプラ１と、光カプラ１からのＤＰＳＫ光信号と後述する光バンドパスフィルタ７からのＤＰＳＫ復調光信号とを分離する光サーキュレータ２と、ＤＰＳＫ光信号を復調するＤＰＳＫ復調回路３と、ＤＰＳＫ復調回路３から出力されるＤＰＳＫ復調光信号の一部を分岐させる光カプラ４と、光カプラ４からのＤＰＳＫ復調光信号と光バンドパスフィルタ７からのＤＰＳＫ光信号とを分離する光サーキュレータ５と、ＤＰＳＫ復調回路３から出力されるＤＰＳＫ復調光信号を受信するバランストフォトレシーバ６と、ＤＰＳＫ光信号から中心波長近辺の光信号を抽出すると共に、ＤＰＳＫ復調光信号から中心波長近辺の復調光信号を抽出する光バンドパスフィルタ７と、光バンドパスフィルタ７によって抽出されたＤＰＳＫ光信号の光パワーレベルを検出する光検出器８と、光バンドパスフィルタ７の中心波長を制御する制御回路９と、光バンドパスフィルタ７によって抽出されたＤＰＳＫ復調光信号の光パワーレベルを検出する光検出器１０と、ＤＰＳＫ復調回路３の位相制御を行う制御回路１１とから構成される。
【００１３】
図２（Ａ）〜図２（Ｄ）は、本実施の形態のＤＰＳＫ光受信器におけるＤＰＳＫ光信号の光スペクトルと光バンドパスフィルタ７によるフィルタリングの方法を説明するための図であり、図２（Ａ）、図２（Ｂ）、図２（Ｃ）、図２（Ｄ）は、それぞれ図１のＡ点、Ｂ点、Ｃ点、Ｄ点のＤＰＳＫ光信号の光スペクトルを示している。なお、図２（Ａ）〜図２（Ｄ）では、ＤＰＳＫ光信号にＲＺ変調を重畳したＲＺ−ＤＰＳＫ光信号の光スペクトルの変化を示している。以下、図２（Ａ）〜図２（Ｄ）を用いて本実施の形態のＤＰＳＫ光受信器の動作を説明する。
【００１４】
ＤＰＳＫ光受信器に入射したＤＰＳＫ光信号は、その一部が光カプラ１により分岐されて光サーキュレータ２へ入射し、ＤＰＳＫ光信号の残りは、ＤＰＳＫ復調回路３へ入射する。光サーキュレータ２は、光カプラ１から入射したＤＰＳＫ光信号を光バンドパスフィルタ７へ入射させる。光カプラ１から光サーキュレータ２へ入射するＤＰＳＫ光信号の光スペクトルは、図２（Ａ）のような光スペクトルとなる。これに対して、光バンドパスフィルタ７は、図２（Ｂ）の点線Ｆ１で示すようにＤＰＳＫ光信号の中心波長に合うようにフィルタリングを行い、光信号の一部を抽出する（すなわち、点線Ｆ１内の光信号のみを抽出する）。
【００１５】
この光バンドパスフィルタ７によってフィルタリングされたＤＰＳＫ光信号は、光サーキュレータ５へ入射する。光サーキュレータ５は、光バンドパスフィルタ７から入射したＤＰＳＫ光信号を光検出器８へ入射させる。光検出器８は、入射するＤＰＳＫ光信号の光パワーレベルを検出する。制御回路９は、光検出器８によって検出される光パワーレベルが最大となるように光バンドパスフィルタ７の中心波長を制御する。これにより、ＤＰＳＫ光受信器に入射するＤＰＳＫ光信号の中心波長と光バンドパスフィルタの中心波長とを正確に一致させることができる。
【００１６】
一方、光カプラ１からＤＰＳＫ復調回路３へ入射したＤＰＳＫ光信号は、ＤＰＳＫ復調回路３によって復調され、出力ポートＰおよび出力ポートＮより出力される。出力ポートＰから出力されたＤＰＳＫ復調光信号は、その一部が光カプラ４により分岐されて光サーキュレータ５へ入射し、ＤＰＳＫ復調光信号の残りは、バランストフォトレシーバ６の一方の入射ポートに入射する。光サーキュレータ５は、光カプラ４から入射したＤＰＳＫ復調光信号を光バンドパスフィルタ７へ入射させる。光カプラ４から光サーキュレータ５へ入射するＤＰＳＫ光信号の光スペクトルは、図２（Ｃ）のような光スペクトルとなる。これに対して、光バンドパスフィルタ７は、図２（Ｄ）の点線Ｆ２で示すようにＤＰＳＫ復調光信号の中心波長に合うようにフィルタリングを行い、復調光信号の一部を抽出する（すなわち、点線Ｆ２内の光信号のみを抽出する）。
【００１７】
この光バンドパスフィルタ７によってフィルタリングされたＤＰＳＫ復調光信号は、光サーキュレータ２へ入射する。光サーキュレータ２は、光バンドパスフィルタ７から入射したＤＰＳＫ復調光信号を光検出器１０へ入射させる。光検出器１０は、入射するＤＰＳＫ復調光信号の光パワーレベルを検出する。制御回路１１は、光検出器１０によって検出される光パワーレベルが最大となるようにＤＰＳＫ復調回路３の位相制御を実施し、ＤＰＳＫ復調回路３へ入射するＤＰＳＫ光信号の中心波長にＤＰＳＫ復調回路３をロックする。この構成により、ＤＰＳＫ復調光信号のアイ開口を最大化することが可能となり、かつＤＰＳＫ復調時のデータ極性エラーを回避することが可能となり、ＤＰＳＫ光信号の中心波長とＤＰＳＫ復調回路３の波長ずれに伴う伝送品質劣化を大幅に改善することが可能となる。
【００１８】
バランストフォトレシーバ６は、光カプラ４から入射したＤＰＳＫ復調光信号を電気信号に変換する。同様に、バランストフォトレシーバ６は、ＤＰＳＫ復調回路３の出力ポートＮから出力されたＤＰＳＫ復調光信号を電気信号に変換する。
【００１９】
ＤＰＳＫ光受信器においては、入射するＤＰＳＫ光信号の波長変化に対してＤＰＳＫ復調回路後の復調波形が敏感に変化する。このため、ＤＰＳＫ復調回路３には、ＤＰＳＫ光信号の中心波長に動的に追従する制御方式が必要である。このような制御を実現するためには、ＤＰＳＫ光信号の中心波長の検出とこの検出した中心波長に応じたＤＰＳＫ復調回路３の制御という２つの回路が必要であり、本実施の形態はその２つの機能を具備している。
【００２０】
図３（Ａ）〜図３（Ｄ）は、ＤＰＳＫ光信号の中心波長に対してＤＰＳＫ復調回路３を最適化した場合にＤＰＳＫ復調回路３から出力されるＤＰＳＫ復調光信号の光波形および光スペクトルを示す図である。図３（Ａ）はＤＰＳＫ復調回路３の出力ポートＰから出力されるＤＰＳＫ復調光信号の光波形を示す図、図３（Ｂ）はＤＰＳＫ復調回路３の出力ポートＮから出力されるＤＰＳＫ復調光信号の光波形を示す図、図３（Ｃ）は出力ポートＰから出力されるＤＰＳＫ復調光信号の光スペクトルを示す図、図３（Ｄ）は出力ポートＮから出力されるＤＰＳＫ復調光信号の光スペクトルを示す図である。
【００２１】
図４（Ａ）〜図４（Ｄ）は、ＤＰＳＫ光信号の中心波長が図３（Ａ）〜図３（Ｄ）の最適状態から０．０１７ｎｍずれた場合にＤＰＳＫ復調回路３から出力されるＤＰＳＫ復調光信号の光波形および光スペクトルを示す図である。図４（Ａ）は出力ポートＰから出力されるＤＰＳＫ復調光信号の光波形を示す図、図４（Ｂ）は出力ポートＮから出力されるＤＰＳＫ復調光信号の光波形を示す図、図４（Ｃ）は出力ポートＰから出力されるＤＰＳＫ復調光信号の光スペクトルを示す図、図４（Ｄ）は出力ポートＮから出力されるＤＰＳＫ復調光信号の光スペクトルを示す図である。なお、図３（Ａ）〜図３（Ｄ）、図４（Ａ）〜図４（Ｄ）では、ＤＰＳＫ光信号として１０．７Ｇｂ／ｓのＲＺ−ＤＰＳＫ信号を用いている。
【００２２】
図４（Ａ）、図４（Ｂ）によると、光信号のアイ開口が閉じている様子が分かる。ＤＰＳＫ光信号を出力する信号レーザダイオード（不図示）の波長精度およびＤＰＳＫ復調回路３の温度依存性や製造ばらつき等を考慮すると、ＤＰＳＫ光信号の中心波長に対するＤＰＳＫ復調回路３の動的な位相制御を実施しない場合、図４（Ａ）〜図４（Ｄ）のような劣化が生じ得る。
これに対して、本実施の形態のＤＰＳＫ光受信器では、ＤＰＳＫ光信号の中心波長にＤＰＳＫ復調回路３を動的に制御することが可能となるので、図３（Ａ）〜図３（Ｄ）の最適受信状態を維持することが可能となり、良好な伝送品質が得られる。
【００２３】
なお、本実施の形態のＤＰＳＫ光受信器において、光バンドパスフィルタ７は、ＤＰＳＫ光信号のビットレートに対して通過帯域幅が十分に狭いフィルタであることが望ましく、［光バンドパスフィルタの３ｄＢ帯域幅］≦［伝送信号ビットレート］×０．２であることが望ましい。
【００２４】
［第２の実施の形態］
次に、本発明の第２の実施の形態について説明する。図５は本発明の第２の実施の形態に係るＤＰＳＫ光受信器の構成を示すブロック図であり、図１と同一の構成には同一の符号を付してある。
本実施の形態のＤＰＳＫ光受信器は、図１の構成に対して、ＤＰＳＫ復調回路３の出力ポートＰとバランストフォトレシーバ６との間の光の遅延量を調整することが可能な遅延調整器１２と、ＤＰＳＫ復調回路３の出力ポートＮとバランストフォトレシーバ６との間の光の遅延量を調整することが可能な遅延調整器１３とを追加したものである。
【００２５】
本実施の形態では、遅延調整器１２，１３を追加することにより、出力ポートＰの後段に配置した光カプラ４に起因する遅延量を補償することが可能となり、出力ポートＰから出力されるＤＰＳＫ復調光信号と出力ポートＮから出力されるＤＰＳＫ復調光信号のバランストフォトレシーバ６への入力タイミングを揃えることができる。
【００２６】
［第３の実施の形態］
次に、本発明の第３の実施の形態について説明する。図６は本発明の第３の実施の形態に係るＤＰＳＫ光受信器の構成を示すブロック図であり、図１、図５と同一の構成には同一の符号を付してある。
本実施の形態のＤＰＳＫ光受信器は、図５の構成に対して、ＤＰＳＫ復調回路３の出力ポートＰとバランストフォトレシーバ６との間の光の損失量を調整することが可能な損失調整器１４と、ＤＰＳＫ復調回路３の出力ポートＮとバランストフォトレシーバ６との間の光の損失量を調整することが可能な損失調整器１５とを追加したものである。
【００２７】
本実施の形態では、損失調整器１４，１５を追加することにより、出力ポートＰの後段に配置した光カプラ４に起因する光損失を補償することが可能となり、出力ポートＰから出力されるＤＰＳＫ復調光信号と出力ポートＮから出力されるＤＰＳＫ復調光信号との間の光パワーレベルのばらつきを抑えることができる。
【００２８】
［第４の実施の形態］
次に、本発明の第４の実施の形態について説明する。図７は本発明の第４の実施の形態に係るＤＰＳＫ光受信器の構成を示すブロック図であり、図１と同一の構成には同一の符号を付してある。
本実施の形態のＤＰＳＫ光受信器は、図１の構成のようにＤＰＳＫ復調回路３の２系統の出力ポートＰ，Ｎのうち出力ポートＰの後段に光カプラ４を配置する代わりに、ＤＰＳＫ復調回路３の出力ポートＮの後段に光カプラ４ａを配置したものである。
【００２９】
本実施の形態においては、ＤＰＳＫ復調回路３の出力ポートＰから出力されたＤＰＳＫ復調光信号はバランストフォトレシーバ６に直接入射する。一方、出力ポートＮから出力されたＤＰＳＫ復調光信号は、その一部が光カプラ４ａにより分岐されて光サーキュレータ５へ入射し、ＤＰＳＫ復調光信号の残りは、バランストフォトレシーバ６の他方の入射ポートに入射する。光サーキュレータ５は、光カプラ４ａから入射したＤＰＳＫ復調光信号を光バンドパスフィルタ７へ入射させる。光バンドパスフィルタ７は、ＤＰＳＫ復調光信号の中心波長に合うようにフィルタリングを行い、復調光信号の一部を抽出する。
【００３０】
光バンドパスフィルタ７によってフィルタリングされたＤＰＳＫ復調光信号は、光サーキュレータ２へ入射する。光サーキュレータ２は、光バンドパスフィルタ７から入射したＤＰＳＫ復調光信号を光検出器１０へ入射させる。光検出器１０は、入射するＤＰＳＫ復調光信号の光パワーレベルを検出する。制御回路１１ａは、光検出器１０によって検出される光パワーレベルが最小となるようにＤＰＳＫ復調回路３の位相制御を実施することにより、ＤＰＳＫ復調回路３へ入射するＤＰＳＫ光信号の中心波長に応じてＤＰＳＫ復調回路３の動的制御を行う。
【００３１】
本実施の形態によれば、第１の実施の形態と同様の効果を得ることができ、ＤＰＳＫ光信号の中心波長とＤＰＳＫ復調回路３の波長ずれに伴う伝送品質劣化を大幅に改善することが可能となる。
【００３２】
［第５の実施の形態］
次に、本発明の第５の実施の形態について説明する。図８は本発明の第５の実施の形態に係るＤＰＳＫ光受信器の構成を示すブロック図であり、図１、図７と同一の構成には同一の符号を付してある。
本実施の形態のＤＰＳＫ光受信器は、図７の構成に対して、ＤＰＳＫ復調回路３の出力ポートＰとバランストフォトレシーバ６との間の光の遅延量を調整することが可能な遅延調整器１２ａと、ＤＰＳＫ復調回路３の出力ポートＮとバランストフォトレシーバ６との間の光の遅延量を調整することが可能な遅延調整器１３ａとを追加したものである。
【００３３】
本実施の形態では、遅延調整器１２ａ，１３ａを追加することにより、出力ポートＮの後段に配置した光カプラ４ａに起因する遅延量を補償することが可能となり、出力ポートＰから出力されるＤＰＳＫ復調光信号と出力ポートＮから出力されるＤＰＳＫ復調光信号のバランストフォトレシーバ６への入力タイミングを揃えることができる。
【００３４】
［第６の実施の形態］
次に、本発明の第６の実施の形態について説明する。図９は本発明の第６の実施の形態に係るＤＰＳＫ光受信器の構成を示すブロック図であり、図１、図７、図８と同一の構成には同一の符号を付してある。
本実施の形態のＤＰＳＫ光受信器は、図８の構成に対して、ＤＰＳＫ復調回路３の出力ポートＰとバランストフォトレシーバ６との間の光の損失量を調整することが可能な損失調整器１４ａと、ＤＰＳＫ復調回路３の出力ポートＮとバランストフォトレシーバ６との間の光の損失量を調整することが可能な損失調整器１５ａとを追加したものである。
【００３５】
本実施の形態では、損失調整器１４ａ，１５ａを追加することにより、出力ポートＮの後段に配置した光カプラ４ａに起因する光損失を補償することが可能となり、出力ポートＰから出力されるＤＰＳＫ復調光信号と出力ポートＮから出力されるＤＰＳＫ復調光信号との間の光パワーレベルのばらつきを抑えることができる。
【産業上の利用可能性】
【００３６】
本発明は、ＤＰＳＫ変調方式による光ファイバ伝送システムの光受信器に適用することができる。
【図面の簡単な説明】
【００３７】
【図１】本発明の第１の実施の形態に係るＤＰＳＫ光受信器の構成を示すブロック図である。
【図２】図１のＤＰＳＫ光受信器におけるＤＰＳＫ光信号の光スペクトルと光バンドパスフィルタによるフィルタリングの方法を説明するための図である。
【図３】ＤＰＳＫ光信号の中心波長に対してＤＰＳＫ復調回路を最適化した場合にＤＰＳＫ復調回路から出力されるＤＰＳＫ復調光信号の光波形および光スペクトルを示す図である。
【図４】ＤＰＳＫ光信号の中心波長が最適状態からずれた場合にＤＰＳＫ復調回路から出力されるＤＰＳＫ復調光信号の光波形および光スペクトルを示す図である。
【図５】本発明の第２の実施の形態に係るＤＰＳＫ光受信器の構成を示すブロック図である。
【図６】本発明の第３の実施の形態に係るＤＰＳＫ光受信器の構成を示すブロック図である。
【図７】本発明の第４の実施の形態に係るＤＰＳＫ光受信器の構成を示すブロック図である。
【図８】本発明の第５の実施の形態に係るＤＰＳＫ光受信器の構成を示すブロック図である。
【図９】本発明の第６の実施の形態に係るＤＰＳＫ光受信器の構成を示すブロック図である。
【符号の説明】
【００３８】
１，４，４ａ…光カプラ、２，５…光サーキュレータ、３…ＤＰＳＫ復調回路、６…バランストフォトレシーバ、７…光バンドパスフィルタ、８，１０…光検出器、９，１１，１１ａ…制御回路、１２，１３，１２ａ，１３ａ…遅延調整器、１４，１５，１４ａ，１５ａ…損失調整器。
【図１】
2008271479.tif 000003
【図２】
2008271479.tif 000004
【図３】
2008271479.tif 000005
【図４】
2008271479.tif 000006
【図５】
2008271479.tif 000007
【図６】
2008271479.tif 000008
【図７】
2008271479.tif 000009
【図８】
2008271479.tif 000010
【図９】
2008271479.tif 000011